(57)【要約】【課題】下皿の芯案内筒の下部開口の部分に、小さいゴミ等が溜まって燃焼空気が不足して異常燃焼が発生するのを防止できる液体燃料燃焼装置を提供する。【解決手段】カートリッジタンク１１と点接触する作動金具５１がカートリッジタンク１１の状態に応じて回動し、その作動金具５１の回動によって芯案内筒２２の下部開口２５と下皿２との間の隙間２４を清掃する清掃部５８を設けたことにより、カートリッジタンクの着脱等により清掃部が下皿の芯案内筒の下部開口に位置する部分を清掃し、それによりその下部開口に位置する部分はいつもゴミがなく、常に燃焼空気の流入を良好にすることができる。【選択図】図２
2008292015.tif 000002
【特許請求の範囲】
【請求項１】
下皿と、該下皿上に配置した装置の枠体と、該枠体内に設けた燃料タンクと、該燃料タンク内に昇降可能に設けた灯芯と、燃料タンク底面から立設した芯案内パイプと、灯芯と芯案内パイプの周囲を覆う芯案内筒と、該芯案内筒と芯案内パイプの上端に載置された燃焼筒と、灯芯を上下動させる芯上下手段と、上昇させた灯芯を降下方向へ附勢するバネと、このバネのバネ力に抗して灯芯を上昇位置で保持するロック金具と、地震発生等の非常時にこのロック金具を解除して灯芯を降下させる対震消火装置と、前記燃料タンクの給油口に備えたピンを口金の弁体に挿入して燃料タンクに燃油を供給するカートリッジタンクと、このカートリッジタンクの抜き取り時に前記ロック金具を解除して消火をする給油消火部と、前記カートリッジタンクの重量を感知して燃油切れを表示する給油表示部とを備え、前記給油消火と給油表示を行うためにカートリッジタンクの状態に応じて回動する作動金具と、この作動金具をカートリッジタンクの重量に反する方向に附勢するバネ部材とを設けると共に、前記作動金具の接触部とカートリッジタンクとを点接触にて連動させる液体燃料燃焼装置に於いて、前記作動金具が回動することにより、芯案内筒の下部開口と下皿との間の隙間を清掃する清掃部を設けたことを特徴とする液体燃料燃焼装置。
【請求項２】
前記清掃部は下皿の芯案内筒の下部開口の略真下の下皿の位置に回動自在に設けられ、前記作動金具と清掃部回動用ワイヤにて連結されていると共に、前記清掃部回動用ワイヤに引っ張られた時、清掃部が回動する回転方向と逆方向に清掃部を附勢する清掃部用バネを設けたことを特徴とする請求項１記載の液体燃料燃焼装置。
【請求項３】
前記作動金具のバネは清掃部用バネよりも附勢力が大きいと共に、作動金具と清掃部との間に作動金具の上下動を清掃部の水平方向の回動にするためのワイヤ受部を設け、該ワイヤ受部には清掃部回動用ワイヤを案内する案内円板を設けたことを特徴とする請求項２記載の液体燃料燃焼装置。
【発明の詳細な説明】
【技術分野】
【０００１】
この発明は、芯上下式の石油ストーブに関するものである。
【背景技術】
【０００２】
従来よりこの種の石油ストーブに於いては、下皿１０１上に前面下部を開口１０２した枠体１０３を取り付けると共に、この枠体１０３内に燃料タンク１０４を設け、この燃料タンク１０４は下皿１０１との間に隙間１０５を形成するように設けられている。
又、燃料タンク１０４を底面から立設した芯案内筒１０６の上部に燃焼筒１０７を設け、この燃焼筒１０７に枠体１０３の下部の開口１０２より取り入れた空気を芯案内筒１０６の下部開口１０８から燃焼用空気として供給していたものである。
【０００３】
ところでこの従来の石油ストーブでは、枠体１０３の下部の開口１０２より子供のいたずら等で雑誌などが挿入されたりすると、この雑誌等が芯案内筒１０６の下部開口１０８まで達してこの下部開口１０８を塞いでしまい、その結果異常燃焼を起こす問題があった。
そこで、下皿１０１の下部開口１０８と対向する部分にピン１０９を立設して、雑誌等が下部開口１０８まで達しないようにして、果異常燃焼の発生を防止していた。
【特許文献１】実開昭６３−２０１９０６号公報
【発明の開示】
【発明が解決しようとする課題】
【０００４】
ところで従来のこの種のものにおいては、雑誌等が下皿１０１の芯案内筒１０６の下部開口１０８に達するのは防止できるものの、下部開口１０８の下の下皿１０１の部分に、小さいゴミ等が溜まってきて燃焼空気の流入が悪くなり、場合によっては燃焼空気が不足して不完全燃焼などの異常燃焼が発生する場合があった。
【課題を解決するための手段】
【０００５】
そこで、本発明は前記課題を解決するため、請求項１では、下皿と、該下皿上に配置した装置の枠体と、該枠体内に設けた燃料タンクと、該燃料タンク内に昇降可能に設けた灯芯と、燃料タンク底面から立設した芯案内パイプと、灯芯と芯案内パイプの周囲を覆う芯案内筒と、該芯案内筒と芯案内パイプの上端に載置された燃焼筒と、灯芯を上下動させる芯上下手段と、上昇させた灯芯を降下方向へ附勢するバネと、このバネのバネ力に抗して灯芯を上昇位置で保持するロック金具と、地震発生等の非常時にこのロック金具を解除して灯芯を降下させる対震消火装置と、前記燃料タンクの給油口に備えたピンを口金の弁体に挿入して燃料タンクに燃油を供給するカートリッジタンクと、このカートリッジタンクの抜き取り時に前記ロック金具を解除して消火をする給油消火部と、前記カートリッジタンクの重量を感知して燃油切れを表示する給油表示部とを備え、前記給油消火と給油表示を行うためにカートリッジタンクの状態に応じて回動する作動金具と、この作動金具をカートリッジタンクの重量に反する方向に附勢するバネ部材とを設けると共に、前記作動金具の接触部とカートリッジタンクとを点接触にて連動させる液体燃料燃焼装置に於いて、前記作動金具が回動することにより、芯案内筒の下部開口と下皿との間の隙間を清掃する清掃部を設けたものである。
【０００６】
又請求項２に係る給湯風呂装置では、特にその構成を、前記請求項１に於いて、前記清掃部は下皿の芯案内筒の下部開口の略真下の下皿の位置に回動自在に設けられ、前記作動金具と清掃部回動用ワイヤにて連結されていると共に、前記清掃部回動用ワイヤに引っ張られた時、清掃部が回動する回転方向と逆方向に清掃部を附勢する清掃部用バネを設けたものである。
【０００７】
又請求項３に係る給湯風呂装置では、特にその構成を、前記請求項２に於いて、前記作動金具のバネは清掃部用バネよりも附勢力が大きいと共に、作動金具と清掃部との間に作動金具の上下動を清掃部の水平方向の回動にするためのワイヤ受部を設け、該ワイヤ受部には清掃部回動用ワイヤを案内する案内円板を設けたものである。
【発明の効果】
【０００８】
この発明の請求項１によれば、本発明の液体燃料燃焼装置は、カートリッジタンクの重量に反する方向に附勢するバネとカートリッジタンクと点接触する接触部とを設けた作動金具が、カートリッジタンクの状態に応じて回動し、その作動金具の回動によって芯案内筒の下部開口と下皿との間の隙間を清掃する清掃部を設けたことにより、カートリッジタンクの枠体からの着脱及び燃焼による燃油の減少によるカートリッジタンクの重量変化により、ブラシ部を有する清掃部が下皿の芯案内筒の下部開口に位置する部分を清掃し、それにより下皿の芯案内筒の下部開口に位置する部分はいつもゴミがなく、いつも燃焼空気の流入が良好で、燃焼空気の不足による不完全燃焼などの異常燃焼の発生を防止することができるものである。
【０００９】
又本発明の請求項２に記載の液体燃料燃焼装置によれば、清掃部は下皿の芯案内筒の下部開口の略真下の下皿の位置に回動自在に設けられ、前記作動金具と清掃部回動用ワイヤにて連結されていると共に、前記清掃部回動用ワイヤに引っ張られた時、清掃部が回動する回転方向と逆方向に清掃部を附勢する清掃部用バネを設けたことにより、カートリッジタンクの枠体からの着脱及び燃焼による燃油の減少によるカートリッジタンクの重量変化により、作動金具のバネ部材と清掃部用バネが清掃部を時計方向又は反時計方向に回動させるので、清掃部を回動させるための操作が不要で、通常の給油動作や燃焼運転させるだけで自動的に下皿の芯案内筒の下部開口に位置する部分を清掃できるものである。
【００１０】
又本発明の請求項３に記載の液体燃料燃焼装置によれば、作動金具のバネ部材を清掃部用バネよりも附勢力が大きいバネとしたことにより、カートリッジタンクの枠体から取り出したり燃焼により燃油が減少してカートリッジタンクが軽くなると、作動金具のバネにより給油表示部の「給油」表示を的確に行いつつ、清掃部を引っ張って回動させ、その状態から給油の完了したカートリッジタンクを枠体に装填すると、作動金具のバネの附勢力よりカートリッジタンクの重量による力の方が大きいので、清掃部を引っ張っていた清掃部回動用ワイヤが緩み、それにより清掃部用バネの附勢力により清掃部を逆方向に回転させて下皿の芯案内筒の下部開口に位置する部分を清掃できるものである。
【００１１】
また作動金具と清掃部との間に作動金具の上下動を清掃部の水平方向の回動にするためのワイヤ受部を設け、該ワイヤ受部には清掃部回動用ワイヤを案内する案内円板を設けたことにより、作動金具の上下動の運動を清掃部の水平方向の回動運動に円滑に変換することができるものである。
【発明を実施するための最良の形態】
【００１２】
次に、本発明に係る発明の１実施形態を図面に基づいて説明する。
１は芯上下式石油ストーブの枠体で、底面の下皿２と背面及び左右の側面を覆う側板３と前面下部の前板４と上面の天板５によって横長方形状の筐体を形成し、内部に燃油を燃焼する燃焼筒６等を備え、前面中央から上部の開口部７から赤熱した前記燃焼筒６によって輻射熱を放出し、前記天板５中央の多数の長穴８より燃焼筒６の熱気を上方に放出して室内を暖房するものである。
【００１３】
前記下皿２上の枠体１内部には燃油を貯える燃料タンク９がネジ等（図示せず）によって固定されている。この燃料タンク９は左側上面の燃焼部１０と右側上面の前記カートリッジタンク１１の装着部１２から成り、この装着部１２の右端には円形の給油口１３を開口しており、この給油口１３にはカップ状の底面中央から金属のピン１４を立設し、側面には燃油を通過する穴を備えた燃油受１５にて給油口１３を覆っている。
【００１４】
前記燃油受１５の上方には縦長方形の前記カートリッジタンク１１が備えられ、このカートリッジタンク１１の底面には中央に弁体１６を形成した口金１７が螺合され、上面には持ち運び用の取手１８を備えている。また前記燃油受１５にカートリッジタンク１１の口金１７をセットする事により、前記ピン１４が弁体１６を押し上げて、カートリッジタンク１１内の燃油が燃油受１５から燃料タンク９内に流れ込むものである。  
【００１５】
１９は前記燃料タンク９の燃焼部１０中央に燃料タンク９底面から立設された芯案内パイプで、この芯案内パイプ１９の周囲に沿って芯止め金具２０で上下動自在に前記灯芯２１が設けられている。２２は前記灯芯２１と芯案内パイプ１９の周囲を覆う芯案内筒で、前記燃料タンク９上面に固定された３本のボルト２３とナット（図示せず）によってネジ止めされる。またこの芯案内筒２２と芯案内パイプ１９の上端には前記燃焼筒６が載置され灯芯２１によって燃料タンク９から吸い上げた燃油を芯案内パイプ１９と芯案内筒２２との隙間にて蒸発させ燃焼筒６内で燃焼する。  
【００１６】
又、燃焼筒６内で灯芯２１によって燃料タンク９から吸い上げた燃油を燃焼する時、燃焼空気は前記燃料タンク９の燃焼部１０下方で下皿２との間に形成された隙間２４を通って、芯案内筒２２の下部開口２５から燃焼筒６に供給されるものである。
【００１７】
２６は前記天板５の右端部に設けたタンク装着口（図示せず）を覆うタンク蓋で、燃油供給の際に開口してカートリッジタンク１１の着脱を行うものである。２７は前面中央やや下部に設けた芯上下ハンドルで、回動によって内部の灯芯２１の上下動を行うものであり、この芯上下ハンドル２７の上方には押圧によって点火装置（図示せず）の操作を行う点火窓２８が設けられ、この点火窓２８の右隣には燃焼時の押圧によって前記灯芯２１が素早く下降して瞬時に消火動作を行うように、対震消火装置２９の操作をする緊急消火窓３０を備えている。また前記芯上下ハンドル２７の右側には燃油の残量が少なくなった場合に、表示の色が変わったり、「給油」等の文字が表示されたりして使用者に燃油切れや給油の必要を知らせる給油表示窓３１を設けている。
【００１８】
前記開口部７を除く燃焼筒６の周りは、前方向に輻射熱を反射するための輻射板３２によって囲まれ、開口部７は多数の金属棒で構成されるガード枠３３によって保護されている。
【００１９】
前記芯上下ハンドル２７は円盤状で、背面の中心に備えた突部３４に芯上下軸３５を挿入し回転により芯の上下をするものである。前記芯上下軸３５の先端には、前記芯止め金具２０のラック３６と噛み合う歯車３７が前記燃料タンク９前面の穴３８の内側に設けられ、芯上下軸３５の中間部で前記穴３８の前方には灯芯２１を下降方向に附勢するバネ３９とこのバネ３９に反して芯上下軸３５の回転をロックして灯芯２１の下降を阻止するロックギア４０を備えている。
【００２０】
前記対震消火装置２９は地震発生時に地震の揺れを感知するための重り４１と、この重り４１を乗せる重り台４２と、ロック金具４３から成り、このロック金具４３は軸４４にて重り台４２に回動自在に取り付けられ、係止ロット４５が前記ロックギア４０に係止し、前記重り４１の足部４６が重り台４２の穴４７とロック金具４３の穴４８を貫通し、重り４１の揺れをロック金具４３に伝え、ロックギア４０を解除して灯芯２１を一度に下降するものである。
【００２１】
４９は前記給油口１３近傍に設けられたコの字型の支点金具で、前記燃料タンク９の上面にネジ止め又はスポット溶接等によって固定され、左右の軸穴５０と作動金具５１の軸穴５２及びバネ部材５３を重ね、軸５４を挿入することにより、この軸５４を支点として前記作動金具５１が上向き方向のバネ力を受けながら回動可能に軸支される。前記作動金具５１は略十字形の腕の後側一端に前記軸穴５２を、前側の腕には前記給油表示窓３１に対応する給油表示部５５を、右側の腕には前記カートリッジタンク１１との接触部５６を、左側の腕には給油消火部５７を備えている。
【００２２】
前記作動金具５１の接触部５６はカートリッジタンク１１の装着によってカートリッジタンクタンク１１底面と点接触し、カートリッジタンク１１とカートリッジタンク１１内の燃油の重さで下方に押し下げられるものである。
【００２３】
前記給油表示部５５は、燃油の十分入ったカートリッジタンク１１の重量で押し下げられている場合、給油表示窓３１からは白又は茶色等の前記前板４と同系の色彩であまり目立たない色の表示を行い、満タンで約５リットルのカートリッジタンク１１内の燃油が燃焼により減少し残量が約１．５リットルになると前記バネ部材５３の力がカートリッジタンク１１の重量と釣り合い、以後徐々に作動金具５１は上昇方向に回動を始め、残量が約１リットルになると「給油」の文字表示や赤色等の目立つ表示が少しずつ見え始め、残量が約０．５リットルになると「給油」等の表示がすべて表れ、残量が約０．５リットルから空になるまで表示は「給油」を維持する。そして次に使用者がこの表示に気づいて燃油の給油を行うためにカートリッジタンク１１を引き抜けば、作動金具５１が更に上方向に回動し、給油消火部５７が前記対震消火装置２９のロック金具４３を押し上げてロックが外れ、前記灯芯２１が下降することにより消火を行うものである。
【００２４】
５８は清掃部で、略くの字状をしており、先端部分の下方にはブラシ部５９が設けられ、該ブラシ部５９の手前側の基部６０には、清掃部軸６１が貫通する清掃部軸用孔６２と、清掃部５８を清掃部軸６１を中心に反時計方向に附勢する清掃部用バネ６３の一端及び清掃部回動用ワイヤ６４の一端が係合される清掃部用孔６５が形成されている。
【００２５】
６６はワイヤ受部で、受皿２に設けられたコの字型の受部金具６７と、該受部金具６７のコの字の真ん中に円盤状で円周面が溝状に形成された案内円板６８が回動自在に設けられ、該案内円板６８は受部金具６７のコの字の左右に設けた受部軸孔６９を貫通する受部軸７０がその中心を貫通して設けられているものである。
【００２６】
７１は略棒状の清掃作動部で、先端に清掃部回動用ワイヤ６４の他端が取り付けられ、その反対側が給油表示部５５に取り付けられ、該給油表示部５５が上下動するのに伴って、燃料タンク９の燃焼部１０の側面に設けた長穴状の作動開口部７２を通って先端が燃料タンク９の燃焼部１０内を上下動するものである。
【００２７】
次に、本実施形態の作動について説明する。
まずカートリッジタンク１１を枠体１から取り出している状態では、作動金具５１はバネ部材５３によりその先端部分を上方向に移動し、それにより給油表示窓３１は「給油」の文字表示や赤色等の目立つ表示がされている。
この時、給油表示部５５に一端が取り付けられている清掃作動部７１も上方に位置し、それにより清掃部回動用ワイヤ６４を引っ張ることにより清掃部５８を清掃部軸６１を中心に反時計方向に附勢する清掃部用バネ６３に反して、清掃部５８が時計方向に回転するように引っ張られて、ブラシ部５９が下皿２の芯案内筒２２の下部開口２５の手前に位置している。
【００２８】
そして給油の完了したカートリッジタンク１１をタンク蓋２６を開いてタンク装着口から枠体１に挿入すると、作動金具５１の接触部５６がカートリッジタンク１１底面と点接触し、下方に押し下げられるものである。
それにより給油表示部５５も下方に押し下げられ、給油表示窓３１からは白又は茶色等の前記前板４と同系の色彩であまり目立たない色の表示を行うものである。
【００２９】
この時、給油表示部５５に一端が取り付けられている清掃作動部７１も下に移動し、清掃部回動用ワイヤ６４を緩ませることとなり、清掃部５８は清掃部用バネ６３により反時計方向に回動し、それにより下皿２の芯案内筒２２の下部開口２５に位置する部分を、ブラシ部５９により清掃するものである。
【００３０】
又、この状態から燃焼により燃油が減少してカートリッジタンク１１が軽くなっていくと、作動金具５１が徐々に上昇方向に回動を始めるが、それに伴って給油表示部５５に一端が取り付けられている清掃作動部７１も徐々に上昇し、それにより清掃部回動用ワイヤ６４も徐々に引っ張られ、清掃部５８が徐々に時計方向に回動して、下皿２の芯案内筒２２の下部開口２５に位置する部分を、ブラシ部５９により徐々に清掃するものである。
【００３１】
以上のように、カートリッジタンク１１の枠体１からの着脱及び燃焼による燃油の減少によるカートリッジタンク１１の重量変化により、ブラシ部５９を有する清掃部５８が下皿２の芯案内筒２２の下部開口２５に位置する部分を清掃するので、下皿２の芯案内筒２２の下部開口２５に位置する部分はいつもゴミがなく、いつも燃焼空気の流入が良好で、燃焼空気の不足による不完全燃焼などの異常燃焼の発生を防止できるものである。
【００３２】
前記清掃部５８は作動金具５１と清掃部回動用ワイヤ６４にて連結されていると共に、前記清掃部回動用ワイヤ６４に引っ張られた時、清掃部５８が回動する回転方向と逆方向に清掃部５８を附勢する清掃部用バネ６３を設けたことにより、カートリッジタンク１１の枠体１からの着脱及び燃焼による燃油の減少によるカートリッジタンク１１の重量変化により、作動金具５１のバネ部材５３と清掃部用バネ６３が清掃部５８を時計方向又は反時計方向に回動させるので、清掃部５８を回動させるための操作が不要で、通常の給油動作や燃焼運転させるだけで自動的に下皿２の芯案内筒２２の下部開口２５に位置する部分を清掃できるものである。
【００３３】
また作動金具５１のバネ部材５３を清掃部用バネ６４よりも附勢力が大きいバネとしたことにより、カートリッジタンク１１の枠体１から取り出したり燃焼により燃油が減少してカートリッジタンク１１が軽くなると、作動金具５１のバネ部材５３により給油表示部５５の「給油」表示を的確に行いつつ、清掃部５８を引っ張って回動させ、その状態から給油の完了したカートリッジタンク１１を枠体１に装填すると、作動金具５１のバネ部材５３の附勢力よりカートリッジタンク１１の重量による力の方が大きいので、清掃部５８を引っ張っていた清掃部回動用ワイヤ６４が緩み、それにより清掃部用バネ６４の附勢力により清掃部５８を逆方向に回転させて下皿２の芯案内筒２２の下部開口２５に位置する部分を清掃できるものである。
【００３４】
また作動金具５１と清掃部５８との間に作動金具５１の上下動を清掃部５８の水平方向の回動にするためのワイヤ受部６６を設け、該ワイヤ受部６６には清掃部回動用ワイヤ６４を案内する案内円板６８を設けたことにより、作動金具５１の上下動の運動を清掃部５８の水平方向の回動運動に円滑に変換することができるものである。
【図面の簡単な説明】
【００３５】
【図１】この発明の一実施形態を示液体燃料燃焼装置の斜視図
【図２】同内部の展開斜視図
【図３】同要部側面の説明図
【図４】同要部正面の説明図
【図５】同作動金具の平面図
【図６】同清掃部の動作説明図
【図７】同要部断面図
【図８】従来例の断面図
【符号の説明】
【００３６】
１    枠体
２    下皿
６    燃焼筒
９    燃料タンク
１１  カートリッジタンク
１３  給油口
１４  ピン
１６  弁体
１７  口金
１９  芯案内パイプ
２１  灯芯
２４  隙間  
２５  下部開口
２７  芯上下ハンドル
２９  耐震消火装置
３９  バネ
４３  ロック金具
５１  作動金具
５３  バネ部材
５５  給油表示部
５６  接触部
５７  給油消火部
５８  清掃部
【図１】
2008292015.tif 000003
【図２】
2008292015.tif 000004
【図３】
2008292015.tif 000005
【図４】
2008292015.tif 000006
【図５】
2008292015.tif 000007
【図６】
2008292015.tif 000008
【図７】
2008292015.tif 000009
【図８】
2008292015.tif 000010